(57)【特許請求の範囲】
【請求項１】
折り畳みシート１から成る説明書２の上縁から後方へ吊り輪３を突設し、該吊り輪を容器本体４の頸部５に嵌合させるとともに、頸部下端の上向き段部６とキャップ７の裾とで挟持した商品収納容器において、
上記折り畳みシート１から成る説明書２を主片８と該主片に連なる一乃至複数の折り畳み片９とから形成して折り重ねるとともに、折り畳み片９に形成した差し込み係合部10を主片８の適所に設けた切込み11に挿入係合させることで、折り重ねた折り畳み片９を主片８に離脱可能に係止保持させ、上記吊り輪３をその主片８の上辺から突設し、
上記主片８につき、正面形状を方形に形成し、また、上記折り畳み片９につき、上記主片８の一側縁にその主片の上下幅よりもやや狭幅の帯片12を末端にて連ねてその主片８の範囲内にやや小さく納まるようジグザク状に折り畳んで形成し、そして、該折り畳み片９の四隅をそれぞれ上記差し込み係合部10とし、かつ、上記主片８の四隅にそれらの差し込み係合部10に対応させてそれぞれ切込み11を設けて、これらの切込みにそれぞれの差し込み係合部10を挿入係合させることで、折り重ねた上記折り畳み片９を上記主片８に離脱可能に係止保持させたことを特徴とする商品収納容器。
【発明の詳細な説明】
【０００１】
【発明の属する技術分野】
本発明は、商品を収納させた容器に関する。
【０００２】
【従来の技術】
商品を収納させた容器に消費者に対してその収納商品を説明する記述が必要で、通常、その記述は、その容器の胴部外面へ表示するほか、該容器を外箱内へ入れるとともに、該外箱内に説明書を収納させている。
【０００３】
【発明が解決しようとする課題】
上記のように、外箱を用いて説明書を収納されることは、商品包装簡易化に適しないから好ましくないが、容器が小形化するにつれて商品説明用のスペースとして用いられている胴部表面積も少なくなり、よって、上記外箱を用いることとなる。
また、近年では、細かな説明を多く記載する傾向となってきており、これに十分対応できるようにする必要がある。
そこで、本発明は、容器本体の外面において、胴部以外に所要の表示事項を表記できるようにして、表示用スペースを十分に確保できるようにしようとするものである。
【０００４】
【課題を解決するための手段】
かかる目的達成のため、本発明は、折り畳みシート１から成る説明書２の上縁から後方へ吊り輪３を突設し、該吊り輪を容器本体４の頸部５に嵌合させるとともに、頸部下端の上向き段部６とキャップ７の裾とで挟持したことを特徴とする。
【０００５】
また、本発明は、上記折り畳みシート１から成る説明書２を主片８と該主片に連なる一乃至複数の折り畳み片９とから形成して折り重ねるとともに、折り畳み片９に形成した差し込み係合部10を主片８の適所に設けた切込み11に挿入係合させることで、折り重ねた折り畳み片９を主片８に離脱可能に係止保持させ、上記吊り輪３をその主片８の上辺から突設して成る。
【０００６】
さらに、本発明は、上記主片８につき、正面形状を方形に形成し、また、上記折り畳み片９につき、上記主片８の一側縁にその主片の上下幅よりもやや狭幅の帯片12を末端にて連ねてその主片８の範囲内にやや小さく納まるようジグザク状に折り畳んで形成し、そして、該折り畳み片９の四隅をそれぞれ上記差し込み係合部10とし、かつ、上記主片８の四隅にそれらの差し込み係合部10に対応させてそれぞれ切込み11を設けて、これらの切込みにそれぞれの差し込み係合部10を挿入係合させることで、折り重ねた上記折り畳み片９を上記主片８に離脱可能に係止保持させて成る。
【０００７】
さらに、本発明は、上記主片８につき、正面形状を方形に形成し、また、上記折り畳み片９につき、上記主片８の一側縁に末端にて連ねた帯片12をその主片８の範囲内にやや小さく折り納めて抱き込み態勢でジグザク状に折り畳んで形成し、そして、上記帯片12の第１節から小舌片13を突設して該小舌片を上記差し込み係合部10とし、かつ、上記主片８の適所にその差し込み係合部10に対応させて切込み11を設けて、該切込みにその差し込み係合部10を挿入係合させることで、折り重ねた上記折り畳み片９を上記主片８に離脱可能に係止保持させて成る。
【０００８】
【発明の実施の形態】
その1
図１乃至図４は、本発明に係る実施の形態その1.を示している。図示のものは、折り畳みシート１から成る説明書２の上縁から後方へ吊り輪３を突設し、該吊り輪を容器本体４の頸部５に嵌合させるとともに、頸部下端の上向き段部６とキャップ７の裾とで挟持している。なお、頸部下端の上向き段部６は、図２に示す頸部下端のフランジ６′によるものであっても、或いは、図３に示す単なる上向き段部６であってもよい。容器本体４とキャップ７とは、それぞれ合成樹脂成形したものとする。
【０００９】
折り畳みシート１から成る説明書２は、正面形状ほぼ正方形の主片８と該主片の一側縁に連なる折り畳み片９とから形成して折り重ねており、該折り畳み片９は、上記主片８の一側縁にその主片の上下幅よりもやや狭幅の帯片12を末端にて連ね、かつ、その主片８の範囲内により小さく納まるよう外側へジグザク状に折り畳んで形成している。この折り畳み片９の折り畳み正面形状は、主片８よりやや小さいほぼ正方形である。吊り輪３は、その主片８の上辺から後方へと一体に突設している。
そして、折り重ねた折り畳み片９は、四隅をそれぞれ差し込み係合部10としており、これらの差し込み係合部10に対応させて上記主片８の四隅に切込み11を設け、これらの切込みに各差し込み係合部10を挿入係合させることで、折り重ねた折り畳み片９を主片８に離脱可能に係止保持させている。
また、折り畳み片９の先端から切起しのつまみ片18を突設し、該つまみ片18に対応させて上記主片８の他側縁に切欠19を設けることにより、つまみ片18をつまみ易くしている。説明書２開くときは、該つまみ片18をつまんで手前に引き、折り畳み片９の差し込み係合部10たる四隅を切込み11から引き抜いて、広げればよい。
なお、上記主片８の正面形状及び折り畳み片９の折り畳み正面形状は、ほぼ正方形に限るものではなく、長方形等でもよい。勿論、差し込み係合部10とこれに対応する切込み11を適宜に設けることができれば、方形以外の形状であってもよい。また、折り畳み片９は、複数を異方向から折り重ねるようにしてもよい。
【００１０】
容器本体４は、合成樹脂製のびんであり、頸部５の適所に頸部下端の上向き段部６を有し、上端の口部14を頸部５よりもやや小径にするとともに、外周に係止突条15を周設している。また、胴部16に所要の表示を印刷した説明書17を付している。
【００１１】
キャップ７は、注出キャップ20に開閉蓋21をヒンジ22を介して連設したものであり、注出キャップ20にて容器本体４の口部14に嵌合させるとともに、係止突条15に嵌着係合させ、該注出キャップ20の周壁23の下端と容器本体４の頸部下端の上向き段部６上面との間に上記吊り輪３を挟持させている。
【００１２】
その2.
1174023566400_0
図５は、本発明に係る実施の形態その2.を示している。この場合は、上述の実施の形態その1.において、折り畳みシート１から成る説明書２の形態が異なる。すなわち、上記折り畳み片９につき、上記主片８の一側縁に末端にて連ねた帯片12をその主片８の範囲内にやや小さく折り納めて抱き込み態勢でジグザク状に折り畳んで形成し、その帯片12の第１節から切起した小舌片13を差し込み係合部10とし、かつ、主片８の適所にその差し込み係合部10に対応させて切込み11を設けて、該切込みにその差し込み係合部10を挿入係合させることで、折り重ねた折り畳み片９を主片８に離脱可能に係止保持させて成る。図示の場合、上記主片８の正面形状及び折り畳み片９の折り畳み正面形状をほぼ正方形に形成しているが、これに限るものではなく、長方形、円形、多角形、その他の適宜な形状でよい。
【００１３】
【発明の効果】
本発明によれば、折り畳みシート１から成る説明書２の上縁から後方へ吊り輪３を突設し、該吊り輪を容器本体４の頸部５に嵌合させるとともに、頸部下端の上向き段部６とキャップ７の裾とで挟持しているので、容器本体４には、胴部16以外に所要の表示事項を表記できて、表示用スペースを十分に確保でき、したがって、従来にように、外箱を用いて説明書を収納する必要はなく、商品包装簡易化を可能にでき、容器が小形化しても商品説明用に必要なスペースを支障なく確保できる。勿論、細かな説明を多く記載する近年の傾向にも十分対応できる。また、その説明書２を容器本体４の見易い肩部に安定に、しかも、美麗に装備させることができて、需要者の購買意欲を増進させることができる。
【００１４】
さらに、本発明によれば、既述構成であるから、表示内容の多い説明書２を簡潔に構成でき、小さな形態に折り畳むことができ、容器本体４にも簡単に容易に組み込むことができ、かつ、定位置に安定に保持でき、不意に外れるようなことがない。そして、興味深いものにできて、需要者の注意力を喚起できる。
【図面の簡単な説明】
【図１】  本発明の実施の形態その1.を示す斜視図である。
【図２】  同組み立てに係る截断側面図である。
【図３】  同組み立てに係る截断側面図の変形例である。
【図４】  同要部部材の斜視図である。
【図５】  本発明の実施の形態その2.を示す要部部材の斜視図である。
【符号の説明】
１…折り畳みシート              ２…説明書
３…吊り輪                      ４…容器本体
５…頸部                        ６…上向き段部
７…キャップ                    ８…主片
９…折り畳み片                  10…差し込み係合部
11…切込み                      12…帯片
13…小舌片                      14…口部
15…係止突条                    16…胴部
17…説明書                      18…つまみ片
19…切欠                        20…注出キャップ
21…開閉蓋                      22…ヒンジ
23…周壁                        ６′…フランジ
【図１】
0003949287.tif 000002
【図２】
0003949287.tif 000003
【図３】
0003949287.tif 000004
【図４】
0003949287.tif 000005
【図５】
0003949287.tif 000006